(57)【要約】【課題】グリーンの傾斜をシュミレートできるゴルフのパット練習器の提供。【解決手段】少なくとも２片の傾斜板で組成された傾斜道を具え、該傾斜板の少なくとも一側が隣接する傾斜板と枢接され、且つ枢接される側辺に複数のスムーザーを具え、該スムーザーが弾性変形力を具え、且つ両端が隣接する二つの傾斜板に強固に嵌設され、複数の昇降調整装置が各傾斜板の前後及び左右の傾斜度を調整し、人工芝が傾斜道の上方に敷設される。この傾斜道を昇降調整装置により随意に傾斜を調整でき、且つスムーザーの弾性変形力により各傾斜板間に滑らかな円弧を形成でき、実際のグリーンの傾斜変化に符合させられ、且つ傾斜道を各傾斜板間の枢接により折り畳んで体積を減少して収納することができる。【選択図】        図１
2004215831.tif 000002
【特許請求の範囲】
【請求項１】
グリーンの傾斜をシュミレートできるゴルフのパット練習器において、
少なくとも２片の傾斜板で組成されると共に、該傾斜板が少なくとも一側辺で隣接する傾斜板と枢接された傾斜道と、
各傾斜板の前後及び左右の傾斜を調整できる複数の昇降調整装置と、
該傾斜道の上方に敷設された人工芝と、
を具えたことを特徴とする、グリーンの傾斜をシュミレートできるゴルフのパット練習器。
【請求項２】
請求項１に記載のグリーンの傾斜をシュミレートできるゴルフのパット練習器において、隣接する各傾斜板の対応枢接側辺に複数のスムーザーが設けられ、該スムーザーが弾性変形力を具えると共に、両端がそれぞれ隣接する二つの傾斜板に嵌め込まれたことを特徴とする、グリーンの傾斜をシュミレートできるゴルフのパット練習器。
【請求項３】
請求項２に記載のグリーンの傾斜をシュミレートできるゴルフのパット練習器において、傾斜板の枢接側辺に複数の収容溝が設けられ、該収容溝の一側に嵌め片が設けられ、該収容溝の底面に枢接孔が設けられ、該傾斜板の対辺に複数の滑り溝が設けられ、該滑り溝の一側に嵌め片が設けられ、スムーザーが底部に設けられた軸柱により該収容溝の枢接孔に枢設され、該スムーザーの上部にリブが設けられ、且つ該スムーザーの一端が回されて隣接する傾斜板の対応する滑り溝中に至り、並びにスムーザーの両端部がそれぞれ収容溝の嵌め片底部と滑り溝の嵌め片底部に挟持されることを特徴とする、グリーンの傾斜をシュミレートできるゴルフのパット練習器。
【請求項４】
請求項２或いは請求項３に記載のグリーンの傾斜をシュミレートできるゴルフのパット練習器において、スムーザーが必要により異なる硬度に形成され、異なる程度の弾性変形量を有するものとされることを特徴とする、グリーンの傾斜をシュミレートできるゴルフのパット練習器。
【請求項５】
請求項１に記載のグリーンの傾斜をシュミレートできるゴルフのパット練習器において、傾斜道の一端の傾斜板が一つの座体上に固定され、該座体にレーンが設けられ、該傾斜板の板面に嵌め溝が設けられて該嵌め溝に嵌め片が嵌め置かれ、嵌め片に必要により少なくとも一つのホールが設けられ、別に傾斜道のもう一端の傾斜板に斜面が設けられ、人工芝のホールに対応する位置に孔が設けられたことを特徴とする、グリーンの傾斜をシュミレートできるゴルフのパット練習器。
【請求項６】
請求項１に記載のグリーンの傾斜をシュミレートできるゴルフのパット練習器において、傾斜板の二つの対応側辺にそれぞれ複数の枢接溝が凹設され、且つ枢設溝中に枢接棒が設けられて枢接手段が枢設され、該枢接手段の一側に二つの枢接孔が設けられ、該枢接孔に小さい開口が設けられて二つの隣り合う傾斜板の対応する枢接棒が枢設されたことを特徴とする、グリーンの傾斜をシュミレートできるゴルフのパット練習器。
【請求項７】
請求項１に記載のグリーンの傾斜をシュミレートできるゴルフのパット練習器において、傾斜板の二つの対応側辺にそれぞれ複数の位置決め凹溝が設けられ、昇降調整装置の昇降座上に上下に移動するスライドブロックが設けられ、且つスライドブロックの一側に位置決めロッドが凸設されて該位置決め凹溝に嵌め込まれ、別に該スライドブロックの下方に一つの位置決めブロックが設けられて、スライドブロックを昇降座上の必要高度に位置決めするのに供されることを特徴とする、グリーンの傾斜をシュミレートできるゴルフのパット練習器。
【請求項８】
請求項１に記載のグリーンの傾斜をシュミレートできるゴルフのパット練習器において、傾斜板の板面に複数の嵌め孔が設けられて造形ブロックが嵌め込まれ、異なる傾斜道造形変化を形成することを特徴とする、グリーンの傾斜をシュミレートできるゴルフのパット練習器。
【請求項９】
請求項１に記載のグリーンの傾斜をシュミレートできるゴルフのパット練習器において、傾斜道の一端の傾斜板が前後及び左右の傾斜を制御可能な座体上に設けられて、該座体を利用して傾斜道の一端の傾斜変化を直接調整でき、且つ該座体の一側にレーンが設けられて、球を座体内より適当な場所に導出するのに供されることを特徴とする、グリーンの傾斜をシュミレートできるゴルフのパット練習器。
【発明の詳細な説明】
【０００１】
【発明の属する技術分野】
本発明は一種のグリーンの傾斜をシュミレートできるゴルフのパット練習器に係り、特に、随意に希望に応じて傾斜度を変換して傾斜を滑らかに変化させて実際のグリーンに近づけることができ、並びに折り畳んで体積を縮小できるパット練習器に関する。
【０００２】
【従来の技術】
ゴルフ運動の起源は１２世紀のニュージーランドの牧羊人が長い放牧時間をつぶすために曲がった棒で羽毛でくるんだゴムボールを打って遊んだゲームとされ、数世紀にわたり、球場の設計、建造、企劃、ゲーム規則の制定及び球技の開発研究を経ると共に、科学技術の進歩による無数の改良と突破により、今日にいたっている。今日、ゴルフは生活品質の向上とレジャーの重視により徐々に国民的運動となっており、職業、年齢に関わらず、多くの男女がこの運動を楽しんでいる。
【０００３】
一般にゴルフ場は、ティー・グラウンド、フェアウェー、グリーン、ラフ、障害区で組成されている。そのうち、グリーンはパットのために特別に短く草を刈った草地で、その上に球を入れるホールが設けられ、ゲームの成績において、グリーン上でのパットの標準パット数が総打撃数の半分を占め、このためパットの優劣がゴルフの成績の優劣の鍵を握る。ゴルフ界で言われる「Ｄｒｉｖｅｒ  ｉｓ  ｓｈｏｗ，Ｐｕｔｔｅｒ  ｉｓ  ｍｏｎｅｙ」は、パットの全体のゲーム中での重要性を示している。このため良好なパット技巧を有することはゴルフ運動表現を高めるのに必要な手段である。ゆえにゴルフ学習者はパットを練習して、パットの表現を高める必要がある。一般に、グリーンパット表現を決定する最も主要な因子はグリーンの傾斜度の判断にある。なぜなら一般のグリーンは製作時にいずれも各種の異なる傾斜方向のゆるやかな傾斜を有するものとされる。グリーン上の球からホールまでの傾斜状況によって、いかに正確に傾斜度を判断してパット技巧を組み合わせて正確な方向と力を形成するかは、プレイヤーの経験に依存するが、経験は時間の経過により失われるため、常にパットの練習をしてパットの感覚を鋭敏に保持する必要がある。しかし、実際にグリーン上でパット練習を行うのはゴルフ場の経済効果に符合せず、且つ単独で実際のゴルフ場で練習しても、一回で各種傾斜度のパット練習が完成するわけではない。このため上述のパット練習の場所の問題から、いつでもどこでも練習できるパット練習器が開発された。
【０００４】
一般に、早期のパット練習器は、図１２に示されるように、座体５の上に水平面５０と斜面５１が設けられ、且つ水平面５０にホール５２が設けられ、人工芝５３が該水平面５０と斜面５１の上を被覆してなる。これにより、ホール５２は一般に斜面５１と非常に接近し、且つ斜面５１もまた相当な傾斜を有すると共にその傾斜は固定される。一般に実際のグリーンでは数日で位置が変換され、且つホールの付近はほぼゆるやかな傾斜度とされ、突然大角度で傾斜することはない。このため早期のパット練習器は完全には実際のグリーン状況をシュミレートできず、且つただ一つの固定された傾斜度を有するだけであり、有効な成果を得られず、さらには長期に重複して単一傾斜度の練習を行うために動作の固定習慣が形成されてしまい、実際のグリーンの変化に対する敏感な感覚が鈍り、パットの正確な判断力に影響を与えることさえある。
【０００５】
近年、一種の、座体上の水平面の傾斜角度と昇降高度を調整できるパット練習器が提供されているが、それはホール周囲の傾斜度を改変できるだけであり、ホール付近に突然大きな傾斜度が発生する等、実際のグリーン状況に符合せず、それまでのパット練習器の欠点を改善してはいない。このためこのようなパット練習器の効果は非常に不足し、且つその水平面を高くしてある傾斜角度を形成する時、水平面の上昇点上の人工芝が高度差を発生して一部が宙に浮いた状態となる可能性があり、且つ一旦、球がこの部分に転がると、突然の隆起或いは軟質の人工芝が宙に浮いた状態であるために、球の進行経路が不可能な大変化（例えば垂直経路）を発生したり、或いは球が跳ぶ状況を発生する。
【０００６】
【発明が解決しようとする課題】
以上の従来のパット練習器の欠点を鑑み、本発明はそれを改善したグリーンの傾斜をシュミレートできるゴルフのパット練習器を提供する。
【０００７】
即ち、本発明は、傾斜を滑らかに変化させて実際のグリーンに近づけることができると共に、折り畳んで体積を縮小できる、グリーンの傾斜をシュミレートできるゴルフのパット練習器を提供することを主要な目的としている。
【０００８】
【課題を解決するための手段】
請求項１の発明は、グリーンの傾斜をシュミレートできるゴルフのパット練習器において、
少なくとも２片の傾斜板で組成されると共に、該傾斜板が少なくとも一側辺で隣接する傾斜板と枢接された傾斜道と、
各傾斜板の前後及び左右の傾斜を調整できる複数の昇降調整装置と、
該傾斜道の上方に敷設された人工芝と、
を具えたことを特徴とする、グリーンの傾斜をシュミレートできるゴルフのパット練習器としている。
請求項２の発明は、請求項１に記載のグリーンの傾斜をシュミレートできるゴルフのパット練習器において、隣接する各傾斜板の対応枢接側辺に複数のスムーザーが設けられ、該スムーザーが弾性変形力を具えると共に、両端がそれぞれ隣接する二つの傾斜板に嵌め込まれたことを特徴とする、グリーンの傾斜をシュミレートできるゴルフのパット練習器としている。
請求項３の発明は、請求項２に記載のグリーンの傾斜をシュミレートできるゴルフのパット練習器において、傾斜板の枢接側辺に複数の収容溝が設けられ、該収容溝の一側に嵌め片が設けられ、該収容溝の底面に枢接孔が設けられ、該傾斜板の対辺に複数の滑り溝が設けられ、該滑り溝の一側に嵌め片が設けられ、スムーザーが底部に設けられた軸柱により該収容溝の枢接孔に枢設され、該スムーザーの上部にリブが設けられ、且つ該スムーザーの一端が回されて隣接する傾斜板の対応する滑り溝中に至り、並びにスムーザーの両端部がそれぞれ収容溝の嵌め片底部と滑り溝の嵌め片底部に挟持されることを特徴とする、グリーンの傾斜をシュミレートできるゴルフのパット練習器としている。
請求項４の発明は、請求項２或いは請求項３に記載のグリーンの傾斜をシュミレートできるゴルフのパット練習器において、スムーザーが必要により異なる硬度に形成され、異なる程度の弾性変形量を有するものとされることを特徴とする、グリーンの傾斜をシュミレートできるゴルフのパット練習器としている。
請求項５の発明は、請求項１に記載のグリーンの傾斜をシュミレートできるゴルフのパット練習器において、傾斜道の一端の傾斜板が一つの座体上に固定され、該座体にレーンが設けられ、該傾斜板の板面に嵌め溝が設けられて該嵌め溝に嵌め片が嵌め置かれ、嵌め片に必要により少なくとも一つのホールが設けられ、別に傾斜道のもう一端の傾斜板に斜面が設けられ、人工芝のホールに対応する位置に孔が設けられたことを特徴とする、グリーンの傾斜をシュミレートできるゴルフのパット練習器としている。
請求項６の発明は、請求項１に記載のグリーンの傾斜をシュミレートできるゴルフのパット練習器において、傾斜板の二つの対応側辺にそれぞれ複数の枢接溝が凹設され、且つ枢設溝中に枢接棒が設けられて枢接手段が枢設され、該枢接手段の一側に二つの枢接孔が設けられ、該枢接孔に小さい開口が設けられて二つの隣り合う傾斜板の対応する枢接棒が枢設されたことを特徴とする、グリーンの傾斜をシュミレートできるゴルフのパット練習器としている。
請求項７の発明は、請求項１に記載のグリーンの傾斜をシュミレートできるゴルフのパット練習器において、傾斜板の二つの対応側辺にそれぞれ複数の位置決め凹溝が設けられ、昇降調整装置の昇降座上に上下に移動するスライドブロックが設けられ、且つスライドブロックの一側に位置決めロッドが凸設されて該位置決め凹溝に嵌め込まれ、別に該スライドブロックの下方に一つの位置決めブロックが設けられて、スライドブロックを昇降座上の必要高度に位置決めするのに供されることを特徴とする、グリーンの傾斜をシュミレートできるゴルフのパット練習器としている。
請求項８の発明は、請求項１に記載のグリーンの傾斜をシュミレートできるゴルフのパット練習器において、傾斜板の板面に複数の嵌め孔が設けられて造形ブロックが嵌め込まれ、異なる傾斜道造形変化を形成することを特徴とする、グリーンの傾斜をシュミレートできるゴルフのパット練習器としている。
請求項９の発明は、請求項１に記載のグリーンの傾斜をシュミレートできるゴルフのパット練習器において、傾斜道の一端の傾斜板が前後及び左右の傾斜を制御可能な座体上に設けられて、該座体を利用して傾斜道の一端の傾斜変化を直接調整でき、且つ該座体の一側にレーンが設けられて、球を座体内より適当な場所に導出するのに供されることを特徴とする、グリーンの傾斜をシュミレートできるゴルフのパット練習器としている。
【０００９】
【発明の実施の形態】
本発明は一種のグリーンの傾斜をシュミレートできるゴルフのパット練習器を提供し、それは、少なくとも２片の傾斜板で組成された傾斜道を具え、該傾斜板の少なくとも一側が隣接する傾斜板と枢接され、且つ枢接される側辺に複数のスムーザーを具え、該スムーザーが弾性変形力を具え、且つ両端が隣接する二つの傾斜板に強固に嵌設され、複数の昇降調整装置が各傾斜板の前後及び左右の傾斜度を調整し、人工芝が傾斜道の上方に敷設される。この傾斜道を昇降調整装置により随意に傾斜を調整でき、且つスムーザーの弾性変形力により各傾斜板間に滑らかな円弧を形成でき、実際のグリーンの傾斜変化に符合させられ、且つ傾斜道を各傾斜板間の枢接により折り畳んで体積を減少して収納することができる。
【００１０】
【実施例】
図１に示されるように、本発明のグリーンの傾斜をシュミレートできるゴルフのパット練習器は、座体１、傾斜道２、複数の昇降調整装置３、及び人工芝４を具えている。
【００１１】
該座体１にレーン１０が設けられて球を導入し転がすのに供される。
図１、２に示されるように、該傾斜道２は少なくとも２片の傾斜板２０が枢接されてなり、且つ各隣り合う傾斜板２０間が複数の枢接手段２１とスムーザー２２で枢接されている。
【００１２】
該傾斜板２０の第１側辺２００とその対辺の第２側辺２００’にそれぞれ間隔をあけて複数の枢接溝２０１、２０１’が凹設され、且つ枢接溝２０１、２０１’中に枢接棒２０２、２０２’が設けられ、別に該第１側辺２００の二つの隣り合う枢接溝２０１間に収容溝２０３が設けられ、収容溝２０３の一側に嵌め片２０４が凸設されてスムーザー２２が嵌め込まれて位置決めされ、収容溝２０３の底面に枢接孔２０５が設けられてスムーザー２２の枢設に供される。また、第２側辺２００’の二つの隣接する枢接溝２０１’間に滑り溝２０６が設けられ、滑り溝２０６の一側に嵌め片２０７が設けられている。該傾斜板２０の別の二つの側辺に複数の位置決め凹溝２０８が設けられて昇降調整装置３の嵌め込み位置決めに供され、別の該傾斜板２０の板面上に複数の嵌め孔２０９が設けられて造形板の嵌め込みに供される。最前端に設けられる傾斜板２０ａの第２側辺には滑り溝、枢接溝及び枢接棒の構造は設けられず、且つ座体１の上に固定され、その板面上に一つの嵌め溝２００ａが設けられて一つの嵌め片２０１ａの嵌め置きに供され、該嵌め片２０１ａに少なくとも一つのホール２０２ａが設けられる。別に、最後端に設けられる傾斜板２０ｂの第１側辺に収容溝、枢接溝、枢接棒の構造は設けられず、且つその板面上に一つの斜面２００ｂが設けられる。
【００１３】
枢接手段２１は、図２から図４に示されるように、一側に二つの枢接孔２１０を具え、且つ枢設孔２１０に比較的小さい開口２１１が設けられて二つの隣り合う傾斜板２０の対応する枢接棒２０２、２０２’の枢接に供される。
【００１４】
スムーザー２２は、図２、３、５に示されるように、底部に軸柱２２０を具え、枢接孔２０５中に枢設され、上部にリブ２２１が設けられて回すときに力を入れ易く、且つスムーザー２２は一端が回されて隣接する傾斜板２０の第２側辺２００’の対応する滑り溝２０６中に至り、並びに二端部がそれぞれ収容溝２０３の嵌め片２０４の底部と滑り溝２０６の嵌め片２０７の底部に挟まれ、且つ該スムーザー２２に複数の異なる硬度を有するものとされてそれが異なる程度の弾性変形量を有するものとされ、これにより二つの隣り合う傾斜板２０を折り曲げる時に、平らに整える作用を有し、比較的滑らかな変化の傾斜度を形成させる。
【００１５】
該昇降調整装置３は、図１、６に示されるように、昇降座３０の上に上下に移動するスライドブロック３１が設けられ、且つスライドブロック３１の一側に位置決めロッド３２が凸設されて傾斜板２０の位置決め凹溝２０８への嵌入に供され、別に該スライドブロック３１の下方に一つの位置決めブロック３３が設けられて、スライドブロック３１を昇降座３０上の必要高度に位置決めするのに供される。
【００１６】
該人工芝４は、長条状を呈し、且つ傾斜道２の上を被覆し、且つそのホール２０２ａに対応する位置には孔４０が設けられている。
【００１７】
図３、７に示されるように、本発明は未使用時にあって、スムーザー２２を回して完全に収容溝２０３中に収容でき、その後、枢接手段２１を利用して各傾斜板２０を折り畳んで大幅に体積を減少することができ、収納に便利である。
【００１８】
図８、９に示されるように、ゴルフボールａが進行する傾斜道２は昇降調整装置３を利用してその前後及び左右の傾斜度を調整でき、それを随意に変化させて各種の異なるグリーン傾斜度をシュミレートすることができる。
【００１９】
図１０に示される実施例では、４片から５片の傾斜板２０で傾斜道２が組成され、昇降調整装置３を利用して多くの異なるグリーン傾斜度をシュミレートできる。
【００２０】
図１１に示されるように、本発明の傾斜道２の一端の傾斜板２０は前後及び左右に傾斜角度を調整できる座体１ａの上に設置され、該座体１ａを利用して直接傾斜道２の一端の傾斜度を変化させることができ、且つ該座体１ａの一側にレーン１０ａが設けられて球を座体１ａ内より適当なところに導出できる。
【００２１】
【発明の効果】
本発明は上述の特殊な構造設計により、使用実施上、以下のような多くの長所を有している。
１．実際のグリーン傾斜度をシュミレートできる。
本発明の傾斜道２は若干の傾斜板２０が枢接されてなり、ゆえに、傾斜道２を利用して実際のグリーンのゆるやかな傾斜をシュミレートでき、従来のパット練習器の、ホール前で大きな傾斜や落差を発生して実際の状況に符合しなかった欠点がない。且つ各傾斜板２０間に若干の、適当な弾性変形力を具えたスムーザー２２が設けられて、各傾斜板２０の連接部分が該スムーザー２２の弾性変形により、滑らかな傾斜を形成する。これは図８〜図１０に示されるとおりである。
２．収納に便利である。
本発明は未使用時に、スムーザー２２を回して収容溝２０３中に収容した後に、枢接手段２１を利用して各傾斜板２０を一つに折り畳むことができ、ゆえにその折り畳み後の体積を大幅に縮小でき収納に便利であり、これは図７に示されるとおりである。
３．調整により各種傾斜度とすることができる。
本発明は若干の昇降調整装置３を利用して各傾斜板２０の前後及び左右の傾斜角度を調整でき、これにより傾斜道２に各種の傾斜変化を現出させられ、使用者に良好なパット練習目的を提供できる。
【００２２】
総合すると、本発明は産業上の利用価値と進歩性を具え、且つ同類の製品中に類似の製品はなく、また、本発明の構造は未公開であって新規性を有し、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の立体分解図である。
【図２】本発明の傾斜板の立体分解図である。
【図３】本発明の傾斜板の結合時の平面図である。
【図４】図３の１−１断面図である。
【図５】図３の２−２断面図である。
【図６】本発明の昇降調整装置の立体分解図である。
【図７】本発明の傾斜板の折り畳み動作表示図である。
【図８】本発明の使用実施例図である。
【図９】本発明の別の使用実施例図である。
【図１０】本発明の４片から５片の傾斜板で組成した傾斜道の使用実施例図である。
【図１１】本発明の調整座体上に組み合わせた実施例図である。
【図１２】周知のパット練習器の立体分解図である。
【符号の説明】
Ａ  ゴルフボール          １  座体
１０  レーン              １ａ  座体
１０ａ  レーン            ２  傾斜道
２０  傾斜板              ２００  第１側辺
２００’  第２側辺        ２０１、２０１’  枢接溝
２０２、２０２’  枢接棒  ２０３  収容溝
２０４  嵌め片            ２０５  枢接孔
２０６  滑り溝            ２０７  嵌め片
２０８  位置決め凹溝      ２０９  嵌め孔
２０ａ  傾斜板            ２００ａ  嵌め溝
２０１ａ  嵌め片          ２０２ａ  ホール
２０ｂ  傾斜板            ２００ｂ  斜面
２１  枢接手段            ２１０  枢接孔
２１１  開口              ２２  スムーザー
２２０  軸柱              ２２１  リブ
３  昇降調整装置          ３０  昇降座
３１  スライドブロック    ３２  位置決めロッド
３３  位置決めブロック    ４  人工芝
４０  孔
５  座体                  ５０  水平面
５１  斜面                ５２  ホール
５３  人工芝
【図１】
2004215831.tif 000003
【図２】
2004215831.tif 000004
【図３】
2004215831.tif 000005
【図４】
2004215831.tif 000006
【図５】
2004215831.tif 000007
【図６】
2004215831.tif 000008
【図７】
2004215831.tif 000009
【図８】
2004215831.tif 000010
【図９】
2004215831.tif 000011
【図１０】
2004215831.tif 000012
【図１１】
2004215831.tif 000013
【図１２】
2004215831.tif 000014